(57)【要約】【課題】既存の三相短絡接地器を用いて、一つの短絡接地器に他の二つの短絡接地器を安定良く係止でき、かつ、現場の状況にあわせて、他の二つの短絡接地器の係止位置の異なる構造のものに容易に取替えられる三相短絡接地器を提供する。【解決手段】前記いずれか１個の短絡接地器本体１の前記短絡線７の端部の被覆部を固定するプレート１１を設け、当該プレート１１は２個のボルト１２をそれぞれ通す孔を有し、当該プレート１１は前記各孔にボルト１２をそれぞれ挿入して当該各ボルト１２を短絡接地器本体１に螺着して当該短絡接地器本体１に固定して前記短絡線７の被覆部を押さえ、当該プレート１１の外面にハンガーバー１４をボルト１５により固定した。【選択図】      図１
2014193085.tif 000002
【特許請求の範囲】
【請求項１】
上端に鉤状部を形成した短絡接地器本体の基部に操作棒の上端に取り付けたネジ棒を螺挿し、前記操作棒を回動することにより前記ネジ棒の頂部に取り付けた電線押さえ金具と、これと対向する前記鉤状部との間で、電線を挟持緊締することにより、電線に掛け止める短絡接地器本体を３個用意し、これらの短絡接地器本体相互を短絡線で接続し、また、これらの一つの短絡接地器本体に接続したアース線の先端に接地コネクタを設けた三相短絡接地器において、
前記いずれか１個の短絡接地器本体の前記短絡線の端部の被覆部を複数個のボルトにより短絡接地器本体に螺着して固定するプレートを設け、
当該プレートの外面にハンガーバーをボルトにより固定し、前記プレートの外縁から突出したハンガーバーに他の２つの短絡接地器本体を掛け止め自在としたことを特徴とする、三相短絡接地器。
【請求項２】
前記ハンガーバーが、前記プレートの両側縁又は一側縁から略水平に突出したことを特徴とする、請求項１に記載の三相短絡接地器。
【請求項３】
前記ハンガーバーが、前記プレートの上縁又は下縁から、ハンガーバーの外端部が略水平になるように略鍵型又は略Ｆ型に突出したことを特徴とする、請求項１に記載の三相短絡接地器。
【請求項４】
上端に鉤状部を形成した短絡接地器本体の基部に操作棒の上端に取り付けたネジ棒を螺挿し、前記操作棒を回動することにより前記ネジ棒の頂部に取り付けた電線押さえ金具と、これと対向する前記鉤状部との間で、電線を挟持緊締することにより、電線に掛け止める短絡接地器本体を３個用意し、これらの短絡接地器本体相互を短絡線で接続し、また、これらの一つの短絡接地器本体に接続したアース線の先端に接地コネクタを設けた三相短絡接地器において、
前記２本の短絡線の端部を固定した短絡接地器本体の当該２本の短絡線の端部に棒状のハンガーバーを金具又はワイヤーで固定し、
前記２本の短絡線からハンガーバーを突出させ、当該ハンガーバーの突出部に他の２つの短絡接地器本体を掛け止め自在としたことを特徴とする、三相短絡接地器。
【請求項５】
前記２本の短絡線に固定されたハンガーバーが、前記２本の短絡線の両側又は一側から水平に突出していることを特徴とする、請求項４に記載の三相短絡接地器。
【請求項６】
前記２本の短絡線に固定されたハンガーバーが、前記２本の短絡線端部の上部又は下部から、ハンガーバーの外端部が略水平になるように略鍵型又は略Ｆ型に突出していることを特徴とする、請求項４に記載の三相短絡接地器。
【請求項７】
前記請求項１〜６のいずれかの三相短絡接地器を用いて、現場の状況に合わせて、形状の異なる複数種のハンガーバーを有する前記プレート又はハンガーバーの中から選択してこれを短絡接地器本体に取付け、まず、三相の高圧配電線のいずれかに、２つの短絡接地器本体を前記ハンガーバーに掛け止めた短絡接地器本体を掛け止めることを特徴とする、三相高圧配電線の接地着脱工法。
【発明の詳細な説明】
【技術分野】
【０００１】
この発明は、高圧配電線において、バイパス工事等を行う際、工事を安全に行うため、工事区間の両端外側に接地を付け、作業している工事区間内に電流が流れ込まないようにするための三相短絡接地器及びこの接地器を用いた接地着脱方法に関するものである。
【背景技術】
【０００２】
従来、高圧配電線において、ある区間の電線張替えや電柱の取替工事をする場合は、あらかじめこの区間にバイパスケーブル等を敷設している。この敷設工事は、一度、給電を止め、当該区間を囲むように高圧配電線に三相短絡接地器を付け、低圧側の接地線を介してアースしている。
【０００３】
この三相短絡接地器は、具体的には特許文献１の従来技術の項に記載されているように、上端に鉤状部を形成した短絡接地器本体の基部に操作棒の上端に取り付けたネジ棒を螺挿し、前記操作棒を回動することにより前記ネジ棒の頂部に取り付けた電線押さえ金具と、これと対向する前記鉤状部との間で、電線を挟持緊締することにより、電線に掛け止めている。この三相短絡接地器は、各相の接地器間を短絡線で相互に接続され、三相の短絡接地器の一つからアース線を導出して接地コネクタにより低圧の接地線に接続している。
【０００４】
従来の接地着脱方法では、高圧配電線が地上から６〜１０ｍの位置にあるため、高所作業車のバケットに作業者が載り、当該バケットの狭い作業スペースの中から作業者は、高圧配電線と離隔を取りながら、絶縁棒の先端で前記各短絡接地器を三相の高圧線に付けている。
【０００５】
具体的には、最初に高圧配電線に接地を付ける相の短絡接地器に、その後、他の２相の短絡接地器を他の高圧配電線にそれぞれ係止、固定する作業手順を取っている。そこで、図１２に示すように、３個の短絡接地器本体５０の一つの短絡接地器本体５０にハンガーバー５１を設け、このハンガーバー５１の両側に他の２つの短絡接地器本体５０を吊り下げ、これらを三相の中央に位置する高圧配電線に一度に持ち上げて引っ掛ける三相短絡接地器Ｔが開発された。これにより三相短絡接地器Ｔを高所作業車のバッケトから作業者が絶縁棒の先端に取り付けて一括で三相の中央に位置する高圧配電線に三相ごと短絡接地器Ｔを仮止めし、順次各高圧配電線に他の短絡接地器を取り付けることにより迅速簡便な作業が可能となった。
【０００６】
【特許文献１】実公昭６３−４５７４１号公報
【発明の開示】
【発明が解決しようとする課題】
【０００７】
しかしながら、前記図１２のものは、従来の短絡接地器本体と異なる、新規な構造のものであり、特に、２本の短絡線５２及びアース線５３を接続した中央の短絡接地器本体５０の両側から、他の２つの短絡接地器５０を吊り下げるハンガーバー５１を突設した独特のものを用意しなければならない。なお、図中、５４はアース線５３の先端に接続した接地コネクタである。
【０００８】
したがって、このような三相短絡接地器Ｔを製造又は購入しなければならず、コストが高くなり、その分汎用性がない。また、三相の各短絡接地器の操作棒の下端に、勘合孔を有する係止具５５が設けられ、高所作業車のバケットから作業者が前記係止具５５に絶縁棒の先端を係止して、操作棒を回転させなければならず、操作が容易でない欠点もある。
【０００９】
また、現場によっては、樹木が三相の中央の高圧配電線に接近しており、中央の短絡接地器を最初に三相の高圧配電線の中央に取り付けにくい場合があるが、前記図１２の三相短絡接地器は構造乃至形状が固定されているため、樹木が接近しているにもかかわらず、三相の中央の高圧配電線に最初に中央の短絡接地器を取り付けなければならない。この様なことは、三相の高圧配電線が水平に並んでいる場合、垂直に並んでいる場合とも生じるおそれがある。
【００１０】
そこで、この発明はこの様な従来の三相短絡接地器の課題を解決し、既存の三相短絡接地器を用いて、一つの短絡接地器に他の二つの短絡接地器を安定良く係止でき、かつ、現場の状況にあわせて、他の二つの短絡接地器の係止位置の異なる構造のものに容易に取替えられる三相短絡接地器を提供すると共に、この三相短絡接地器を用いることにより現場の状況に応じて、三相の高圧配電線の接地作業を迅速かつ安全にできる接地工法を提供することを目的としたものである。
【課題を解決するための手段】
【００１１】
請求項１の発明は、上端に鉤状部を形成した短絡接地器本体の基部に操作棒の上端に取り付けたネジ棒を螺挿し、前記操作棒を回動することにより前記ネジ棒の頂部に取り付けた電線押さえ金具と、これと対向する前記鉤状部との間で、電線を挟持緊締することにより、電線に掛け止める短絡接地器本体を３個用意し、これらの短絡接地器本体相互を短絡線で接続し、また、これらの一つの短絡接地器本体に接続したアース線の先端に接地コネクタを設けた三相短絡接地器において、前記いずれか１個の短絡接地器本体の前記短絡線の端部の被覆部を複数個のボルトにより短絡接地器本体に螺着して固定するプレートを設け、当該プレートの外面にハンガーバーをボルトにより固定し、前記プレートの外縁から突出したハンガーバーに他の２つの短絡接地器本体を掛け止め自在とした、三相短絡接地器とした。
【００１２】
請求項２の発明は、前記ハンガーバーが、前記プレートの両側縁又は一側縁から略水平に突出した、請求項１に記載の三相短絡接地器とした。
【００１３】
請求項３の発明は、前記ハンガーバーが、前記プレートの上縁又は下縁から、ハンガーバーの外端部が略水平になるように略鍵型又は略Ｆ型に突出した、請求項１に記載の三相短絡接地器とした。
【００１４】
請求項４の発明は、上端に鉤状部を形成した短絡接地器本体の基部に操作棒の上端に取り付けたネジ棒を螺挿し、前記操作棒を回動することにより前記ネジ棒の頂部に取り付けた電線押さえ金具と、これと対向する前記鉤状部との間で、電線を挟持緊締することにより、電線に掛け止める短絡接地器本体を３個用意し、これらの短絡接地器本体相互を短絡線で接続し、また、これらの一つの短絡接地器本体に接続したアース線の先端に接地コネクタを設けた三相短絡接地器において、前記２本の短絡線の端部を固定した短絡接地器本体の当該２本の短絡線の端部に棒状のハンガーバーを金具又はワイヤーで固定し、前記２本の短絡線からハンガーバーを突出させ、当該ハンガーバーの突出部に他の２つの短絡接地器本体を掛け止め自在とした三相短絡接地器とした。
【００１５】
請求項５の発明は、前記２本の短絡線に固定されたハンガーバーが、前記２本の短絡線の両側又は一側から水平に突出している、請求項４に記載の三相短絡接地器とした。
【００１６】
請求項６の発明は、前記２本の短絡線に固定されたハンガーバーが、前記２本の短絡線端部の上部又は下部から、ハンガーバーの外端部が略水平になるように略鍵型又は略Ｆ型に突出している、請求項４に記載の三相短絡接地器とした。
【００１７】
請求項７の発明は、前記請求項１〜６のいずれかの三相短絡接地器を用いて、現場の状況に合わせて、形状の異なる複数種のハンガーバーを有する前記プレート又はハンガーバーの中から選択してこれを短絡接地器本体に取付け、まず、三相の高圧配電線のいずれかに、２つの短絡接地器本体を前記ハンガーバーに掛け止めた短絡接地器本体を掛け止める、三相高圧配電線の接地着脱工法とした。
【発明の効果】
【００１８】
請求項１〜３の各発明によれば、既存の三相短絡接地器の短絡線の端部の被覆部を本体に押さえるプレートを設け、当該プレートを本体にボルトで固定して、前記被覆部を固定するため、前記図１２の三相短絡接地器と同様のものが極めて低コストで入手できる。また、ハンガーバーも前記プレートにボルトで固定されているため、また、プレート自体もボルトで短絡接地器本体に固定されているため、当該三相短絡接地器を取り付ける三相の高圧配電線及び付近の状況に合わせて、形状の異なるハンガーバーの取替えや、プレート自体を取り替えることも容易である。
【００１９】
また、請求項２の発明では、ハンガーバーが水平にプレートの両側縁から、又は一側縁から突出しているため、両側縁からハンガーバーが突出しているものは、三相の高圧配電線が水平に配列している場合に適し、また、両側から段違いに突出している場合は、三相の高圧配電線が垂直に配列している場合に適している。
【００２０】
また、請求項３の発明では、前記ハンガーバーが、前記プレートの上縁又は下縁から、ハンガーバーの外端部が略水平になるように略鍵型又は略Ｆ型に突出しているため、三相の高圧配電線が垂直に配列している場合に適している。
【００２１】
また、請求項４の発明では、２本の短絡線の端部を固定した短絡接地器本体の当該２本の短絡線の端部に、棒状のハンガーバーを金具又はワイヤーで固定するだけで製造でき、部材点数も少なく、製造コストも安価となる。しかも、この構成は接地作業現場でも組み立てることができる。従って、極めて汎用性の高いものである。
【００２２】
また、請求項５の発明では、ハンガーバーが水平に短絡線の両側縁から、又は一側縁から突出しているため、両側縁からハンガーバーが突出しているものは、三相の高圧配電線が水平に配列している場合に適し、また、両側から段違いに突出している場合は、三相の高圧配電線が垂直に配列している場合に適している。
【００２３】
また、請求項６の発明では、前記ハンガーバーが、前記短絡線の上部又は下部から、ハンガーバーの外端部が略水平になるように略鍵型又は略Ｆ型に突出しているため、三相の高圧配電線が垂直に配列している場合に適している。
【００２４】
また、請求項７の発明では、現場の状況にあわせて、前形状の異なる複数種のハンガーバーを有する前記プレート又はハンガーバーの中から選択してこれを短絡接地器本体に取付け、三相の高圧配電線のいずれかに、２つの短絡接地器本体を掛け止めた短絡接地器本体を掛け止める工法としているため、当該三相の高圧配電線の一つに樹木等が接近している場合等、現場の状況や高圧配電線の配列に合わせて、前記プレートから突出するハンガーバーの突出形状を選択して絡接地器本体にプレートを取り付けるか、又は当該突出形状のハンガーバーをプレートに取り付け、２つの短絡接地器本体を掛け止めた短絡接地器本体を一つの高圧配電線に取付け、その後、他の２つの短絡接地器をそれぞれ近くの２本の高圧配電線に取り付けることができる。
【００２５】
従って、三相の各短絡接地器本体の取り付け距離や動作の少ない又は容易な作業が可能となり、接地作業を安全かつ迅速に行うことができる。
【図面の簡単な説明】
【００２６】
【図１】この発明の実施の形態例１の三相短絡接地器の側面図である。
【図２】この発明の実施の形態例１の三相短絡接地器の平面図である。
【図３】この発明の実施の形態例１の三相短絡接地器の背面図である。
【図４】この発明の実施の形態例１の三相短絡接地器の２つの短絡接地器本体を取り外した背面図である。
【図５】（Ａ）図、（Ｂ）図、（Ｃ）図はそれぞれこの発明の実施の形態例１の３つの例の概略構成図である。
【図６】（ａ）図〜（ｅ）図はそれぞれこの発明の実施の形態例１のハンガーバーの構成図の例を示した概略図である。
【図７】（ｆ）図及び（ｇ）図はそれぞれこの発明の実施の形態例１のハンガーバーの構成図の例を示した概略図である。
【図８】（Ａ）図及び（Ｂ）図はそれぞれこの発明の実施の形態例１の使用状態を示す説明図である。
【図９】この発明の実施の形態例２の三相短絡接地器の斜視図である。
【図１０】この発明の実施の形態例２の三相短絡接地器の背面図である。
【図１１】この発明の実施の形態例２の三相短絡接地器の要部側面図である。
【図１２】従来のハンガーバーを設けた三相短絡接地器を示す図で、（イ）図は背面図、（ロ）図は側面図である。
【発明を実施するための形態】
【００２７】
（実施の形態例１）
以下、この発明の実施の形態例１の三相短絡接地器Ａについて図１〜５に基づいて説明する。
【００２８】
上端に鉤状部２を形成した短絡接地器本体１の基部３に、操作棒４の上端に取り付けたネジ棒４ａを螺挿し、前記操作棒４を回動することにより前記ネジ棒４ａの頂部に取り付け、前記鉤状部２に対向する電線押さえ金具５と、前記鉤状部２との間で、高圧配電線６（図１参照）を挟持緊締することにより、高圧配電線６に掛け止める短絡接地器本体１を設け、この構成の短絡接地器本体１を３個設ける。
【００２９】
この３個の短絡接地器本体１のうちの１個の短絡接地器本体１ａには、２本の短絡線７、７の端部を固定し、これらの各短絡線７の他端を他の２個の各短絡接地器本体１に固定し、前記２本の短絡線７、７を接続した短絡接地器本体１ａにアース線８の一端を接続し、当該アース線８の他端に接地コネクタ１６（図５参照）を接続している。
【００３０】
そして、前記２本の短絡線７は、その各先端の被覆部を剥がした芯線７ａが押さえ片９に固定されている。この押さえ片９は、両側に穿った孔にボルト９ａを挿入し、当該ボルト９ａの先端を、前記鉤状部２の背面に一体に設けた板体部２ａに穿ったネジ孔に螺着している。
【００３１】
また、前記２本の短絡線７の被覆部７ｂは、被覆押さえ片１０で押さえられ、その上から略四辺形のプレート１１を被せ、当該プレートの２つの孔に通した各ボルト１２に、筒状のスペーサ１３を被せて前記被覆押さえ片１０に設けた各孔を貫通し、前記板体部２ａのネジ孔に螺着している。
【００３２】
また、前記プレート１１の外面下部には、当該プレート１１の両側から先端部を突出させたハンガーバー１４が設けられている。このハンガーバー１４は、２つの孔を通した各ボルト１５の先端をそれぞれ前記プレート１１に穿ったネジ孔に螺着してプレート１１に固定されている。
【００３３】
また、前記ハンガーバー１４の両側に、前記各短絡線７の他端が接続された他の２つの短絡接地器本体１の鉤状部２を掛け止め自在としている。
【００３４】
図５は、当該三相短絡接地器Ａの３つの例の概略構成図を示し、（Ａ）図は前記図１〜４の例を示し、２本の短絡線７及びアース線８を接続した短絡接地器本体１ａにハンガーバー１４を有するプレート１１を設けたものである。また、（Ｂ）図及び（Ｃ）図はそれぞれ１本の短絡線７のみを接続した短絡接地器本体１に、ハンガーバー１４を有するプレート１１を設けたものである。この様に、この発明では、３相の短絡接地器本体１のいずれかにハンガーバー１４を有するプレート１１を取り付けるものである。
【００３５】
次に、前記プレート１１にボルト１５で取り付けるハンガーバー１４の形状は、図６及び図７に示すものがある。しかしながら、ハンガーバー１４の形状はこれらのものに限定されるものではない。
【００３６】
図６の（ａ）図のハンガーバー１４は、上記図１〜４のものと同じものである。（ｂ）図のハンガーバー１４はプレート１１の両側面から、段違いに水平に突出したものである。（ｃ）図はプレート１１の上下縁から鍵型に突出し、両端部が水平となっている。（ｄ）図はハンガーバー１４がコの字型で、プレート１１から突出した２段の水平部を有している。（ｅ）図はプレート１１から下に垂直に突出し、枝のように左右に水平突出部を有している。
【００３７】
図７の（ｆ）図は、ハンガーバー１４は略逆Ｆ技型で、水平部がプレート１１の横及びプレート１１の下方横方に突出しているものである。（ｇ）図はプレート１１を上から見た、平面図であり、ハンガーバー１４は、プレート１１の両側から水平で前後斜め方向に突出している。
【００３８】
この様に、プレート１１にボルト１５で取り付けるハンガーバー１４の形状は種々のものがあり、予め複数種の各ハンガーバー１４を取り付けたプレート１１を用意しておき、三相の高圧配電線の置かれた周囲の状況により、三相短絡接地器Ａのいずれかの短絡接地器本体１に、形状の異なるハンガーバー１４を有するプレート１１を選択して現場で容易に取り付けることが出来る。
【００３９】
また、これに代えて、いずれかの短絡接地器１に予めプレート１１を取り付けておき、現場の状況に合わせて、種々の形状のハンガーバー１４を選択して前記プレート１１にボルト１５により取り付けることが出来る。
【００４０】
また、この発明では、三相短絡接地器Ａの３個ある短絡接地器本体１の任意の短絡接地器本体１又は１ａに、ハンガーバー１４を有するプレート１１を設けることが出来る。
【００４１】
図８（Ａ）に示すように、三相の高圧配電線６が水平に配列されている場合において、１本の短絡線７を接続した短絡接地器本体１に変形コの字型のハンガーバー１４を有するプレート１１を取り付け、上下の水平部に他の短絡接地器本体１、１を夫々掛け止め、この状態の三相短絡接地器Ａを一番端の高圧配電線６に係止し、その後、上段の短絡接地器本体１を中央の高圧配電線６に、下段の短絡接地器本体１を反対側の端の高圧配電線６に順位掛け止めることもできる。
【００４２】
これによれば、高所作業車が前記３相の高圧配電線下方において、手前までしか入り込めない場合に、三相の短絡接地器Ａを手前の高圧配電線に掛け止め、他の２つの短絡接地器本体１を絶縁棒の先端で支持して、奥の２本の高圧配電線６に順に掛け止めることができ、作業性が良くなる。
【００４３】
また、図８の（Ｂ）図に示すように、三相の高圧配電線６が垂直に配列されている場合において、２本の短絡線７、７を接続した短絡接地器本体１ａにクランク型のハンガーバー１４を有するプレート１１を取り付け、上下の水平部に他の短絡接地器本体１、１を夫々掛け止め、この状態の三相短絡接地器Ａの短絡接地器本体１ａを一番上の高圧配電線６に係止し、その後、上段の短絡接地器本体１を二番目の高さの高圧配電線６に、下段の短絡接地器本体１を三番目の高さの高圧配電線６に順位掛け止めることができる。
【００４４】
これによれば、最初に短絡接地器本体１ａを最上部の高圧配電線６に掛け止めれば、他の２つの短絡接地器本体１、１を絶縁棒の先端に支持して、中央の高さの高圧配電線６及び最下部の高圧配電線６にそれぞれ下すだけの作業で良いこととなる。また、逆に、前記短絡接地器本体１ａを最下部の高圧配電線６に支持させ、他の２つの短絡接地器本体１、１をそれぞれ絶縁棒の先端で支持して、最上部、及び中央の高さの高圧配電線６に順次掛け止めることもできる。
【００４５】
（実施の形態例２）
図９〜図１１はこの発明の実施の形態例２を示す。この実施の形態例２では、２本の短絡線７、７の端部を固定した短絡接地器本体１ａの当該２本の短絡線７、７に、棒状のハンガーバー１８の中央部を当接し、当該ハンガーバー１８の外周２箇所に被せたＵ字型金具１９の両側先端を前記２本の短絡線７、７の両側から背面側に突出させ、そこで押さえ片２０の孔に夫々入れて押さえ片２０の表面から突出するＵ字型金具の先端のネジ部にナット２１を螺着し、前記ハンガーバー１８を２本の短絡線７、７に支持させる。そして当該ハンガーバー１８の両側に他の２つの短絡接地器本体１、１を掛け止め自在とした。
【００４６】
この実施の形態例２では、ハンガーバー１８を２本の短絡線７、７に支持させるに当たり、Ｕ字型金具１９や押さえ片２０を用いたが、他の適宜の金具でも固定でき、また、ワイヤーで縛って固定することもできる。これにより、三相短絡接地器の、２本の短絡線７、７を接続した短絡接地器本体１にハンガーバー１８を取り付けて、他の２つの短絡接地器本体１を掛け止めることが出来る。
【００４７】
また、前記実施の形態例２では、２本の短絡線７、７にハンガーバー１８の中央部を固定して、短絡線７、７の両側からハンガーバー１８を突出させているが、これに限らず、前記ハンガーバー１８が、前記２本の短絡線７、７の両側又は一側から水平に突出している場合、又は前記２本の短絡線７、７の端部の上部又は下部から、ハンガーバー１８の外端部が略水平になるように略鍵型又は略Ｆ型に突出している場合等、種々の形態にすることが出来る。
【００４８】
この様に、この実施の形態例２では、ハンガーバーを容易に取り付けることが出来、図１２の従来の三相短絡接地器Ｔに比べ、製造コストを極めて低く抑えることが出来る。
【符号の説明】
【００４９】
Ａ      三相短絡接地器            Ｔ      三相短絡接地器
１      短絡接地器本体            １ａ    短絡接地器本体
２      鉤状部                    ２ａ    板体
３      基部                      ４      操作棒
４ａ    ネジ棒                    ５      電線押さえ金具
６      高圧配電線                ７      短絡線  
７ａ    芯線                      ７ｂ    被覆部
８      アース線                  ９      押さえ片  
９ａ    ボルト                    １０    被覆押さえ片
１１    プレート                  １２    ボルト
１３    スペーサ                  １４    ハンガーバー
１５    ボルト                    １６    接地コネクタ
１８    ハンガーバー              １９    Ｕ字型金具
２０    押さえ片                  ２１    ナット  
【図１】
2014193085.tif 000003
【図２】
2014193085.tif 000004
【図３】
2014193085.tif 000005
【図４】
2014193085.tif 000006
【図５】
2014193085.tif 000007
【図６】
2014193085.tif 000008
【図７】
2014193085.tif 000009
【図８】
2014193085.tif 000010
【図９】
2014193085.tif 000011
【図１０】
2014193085.tif 000012
【図１１】
2014193085.tif 000013
【図１２】
2014193085.tif 000014